(57)【要約】      （修正有）【課題】周囲へのイオンの放出量を効率的に増加させることができるイオン放射具及び装身具を提供する。【解決手段】イオン放射具１００は、所定の基準軸に対して少なくとも一部が交差する方向に延在しており、イオンを放射可能なイオン放射部１１０と、イオン放射部１１０が収容された空間部１２１を備えるハウジング１２０と、を有する。イオン放射部１１０は、金属製の本体部材に、イオン放射物質を吹き付けたもので構成することができ、本体部材をスプリングコイル状に加工することで構成することができる。イオン放射具１００は、イオン放射具１００を身体に装着可能にするための付属部材１４０と組み合わせることにより、装身具１０を構成することができる。【選択図】図１
0003231524.tif 000002
【実用新案登録請求の範囲】
【請求項１】
所定の基準軸に対して少なくとも一部が交差する方向に延在しており、イオンを放射可能なイオン放射部と、
前記イオン放射部が収容された空間部を備えるハウジングと、を有するイオン放射具。
【請求項２】
前記イオン放射部の少なくとも一部は、前記基準軸の周りに螺旋状に延在している、請求項１に記載のイオン放射具。
【請求項３】
前記空間部は、前記ハウジングの長手方向と交差する方向に隣接して形成された二つ以上の孔部を有し、
前記二つ以上の孔部のそれぞれには前記イオン放射部が配置されている、請求項１又は請求項２に記載のイオン放射具。
【請求項４】
前記イオン放射部は、金属製の線材にイオン放射物質が吹き付けられてなる、請求項１〜３のいずれか１項に記載のイオン放射具。
【請求項５】
請求項１〜４のいずれか１項に記載のイオン放射具と、
前記イオン放射具を身体に装着可能にするための付属部材と、を有する装身具。
【考案の詳細な説明】
【技術分野】
【０００１】
本考案は、イオン放射具及び装身具に関する。
【背景技術】
【０００２】
イオンを放射可能な部品を備えるネックレスやブレスレットなどの装身具（アクセサリー）が提案されている。このようなアクセサリーとして、例えば、身体に装着される紐状の本体部分を有し、該本体部分の一部又は全体にイオンを放出可能な物質等を含有させたものが知られている（特許文献１を参照）。
【先行技術文献】
【特許文献】
【０００３】
【特許文献１】特開２０１０−２０７４１１号公報
【考案の概要】
【考案が解決しようとする課題】
【０００４】
例えば、特許文献１の装身具において、周囲へのイオンの放出量を増加させようと考えた場合、紐状の本体部分の単位体積当たりのイオン含有物質の量が増加しうるように、本体部分の配置、形状、構造等を検討することが考えられる。しかしながら、特許文献１の装身具では、紐状の本体部分が使用者の身体への取り付け部位（身体に巻き付けたり、引っ掛けたりする部位）を構成しているため、その形態を大幅に変更させることは意匠デザインや製品特性を失うことにつながる。そのため、特許文献１の装身具では、イオンの放出量を効率的に増加させることが難しいと考えられる。
【０００５】
本考案は、上記の課題を鑑みてなされたものであり、周囲へのイオンの放出量を効率的に増加させることができるイオン放射具及び装身具を提供することを目的とする。
【課題を解決するための手段】
【０００６】
本考案に係るイオン放射具は、所定の基準軸に対して少なくとも一部が交差する方向に延在しており、イオンを放射可能なイオン放射部と、前記イオン放射部が収容された空間部を備えるハウジングと、を有する。
【考案の効果】
【０００７】
上記のイオン放射具では、イオン放射部が所定の基準軸に対して少なくとも一部が交差する方向に延在している。そのため、イオン放射部が単純な直線形状や円形状に延在している場合と比較して、イオン放射部がその周囲へ放射する単位体積当たりのイオンの放射量を増加させることができる。また、イオン放射部がハウジングの空間部内に収容されているため、ハウジングの外部からイオン放射部に対して直接的に衝撃や振動が加わることを防止できる。それにより、イオン放射部を所定の形状に形状付けした状態に維持することができ、イオン放射具からその周囲へ向けてイオンを安定的に放射することができる。
【図面の簡単な説明】
【０００８】
【図１】実施形態に係る装身具及びイオン放射具を示す正面図である。
【図２】イオン放射具の長手方向に沿う断面図である。
【図３】図２に示す矢印３Ａ−３Ａ線に沿う断面図である。
【図４】変形例１に係るイオン放射具を示す斜視図である。
【図５】図４に示す矢印５Ａ−５Ａ線に沿うイオン放射具の断面図である。
【図６】変形例２に係るイオン放射具を示す斜視図である。
【図７】図６に示す矢印７Ａ−７Ａ線に沿うイオン放射具の断面図である。
【図８】変形例３に係るイオン放射具のハウジングを示す斜視図である。
【図９】他の実施形態に係る装身具及びイオン放射具を示す正面図である。
【考案を実施するための形態】
【０００９】
以下、添付した図面を参照しながら、本考案の実施形態を説明する。なお、以下の記載は実用新案登録請求の範囲に記載される技術的範囲や用語の意義を限定するものではない。また、図面の寸法比率は説明の都合上誇張されており、実際の比率とは異なる場合がある。
【００１０】
図１〜図３は、実施形態に係る装身具１０及びイオン放射具１００を示す図である。
【００１１】
図１は、装身具１０及びイオン放射具１００の使用例を示す斜視図である。図２は、イオン放射具１００の長手方向に沿う断面図（縦断面図）である。図２は、図３の矢印３Ａ−３Ａで示す方向のイオン放射具１００の断面図（横断面図）である。
【００１２】
図２、図３において、ハウジング１２０の長手方向を矢印Ｘ１−Ｘ２で示し、長手方向と交差する幅方向を矢印Ｙ１−Ｙ２で示す。
【００１３】
以下、本実施形態に係る装身具１０及びイオン放射具１００について詳述する。
【００１４】
＜装身具＞
図１に示すように、イオン放射具１００は、例えば、イオン放射具１００を身体に装着可能にするための付属部材１４０と組み合わせることにより、装身具１０を構成することができる。
【００１５】
本明細書の説明では、イオン放射具１００をネックレスヘッドとして構成し、装身具１０を自然人の身体の首に装着可能なネックレスとして構成した例を説明する。ただし、イオン放射具１００の具体的な用途は装身具１０に限定されず、例えば、キーホルダー等の物品に適用することも可能である。
【００１６】
また、イオン放射具１００を使用して装身具１０を構成する場合においても、ブレスレットやアンクレットのようなネックレス以外の物品に適用することが可能である。また、装身具１０は、例えば、自然人以外の動物（犬や猫等）への装着を目的とした物品として構成することも可能である。
【００１７】
＜イオン放射具＞
イオン放射具１００は、図１、図２、図３に示すように、所定の基準軸Ａに対して少なくとも一部が交差する方向に延在しており、イオンを放射可能なイオン放射部１１０と、イオン放射部１１０が収容された空間部１２１を備えるハウジング１２０と、を有する。
【００１８】
本実施形態では、基準軸Ａは、ハウジング１２０の長手方向と平行に延びる仮想的な軸である。なお、基準軸Ａはハウジング１２０の長手方向と平行な軸のみに限定されず、例えば、ハウジング１２０の長手方向に対して交差（傾斜）していてもよい。
【００１９】
イオン放射部１１０は、例えば、金属製の本体部材（例えば、金属製の線材）に、イオン放射物質を吹き付けたもので構成することができる。イオン放射部１１０は、図２に示すように、基準軸Ａの周りに螺旋状に延在している。イオン放射部１１０は、例えば、金属製の本体部材をスプリングコイル状に加工することで構成することができる。なお、イオン放射部１１０にイオン放射物質を含有させる方向は、特に限定されず、例えば、コーティング、材料製造時や成形時の練り込み、イオン放射物質が付着されたシート材の貼り付け等であってもよい。
【００２０】
イオン放射部１１０の本体部材を構成する金属材料としては、例えば、銅やアルミを使用することができる。また、イオン放射物質としては、例えば、天然鉱石（例えば、粒状や粉体状に加工された状態のもの）を使用することができる。
【００２１】
イオン放射部１１０は、基準軸Ａの周りに螺旋状に延在しているため、ハウジング１２０の空間部１２１内でイオン放射部１１０が占める体積が増加する。そのため、イオン放射部１１０が単純な直線形状や円形状に延在している場合と比較して、イオン放射部１１０がその周囲へ放射する単位体積当たりのイオンの放射量が増加する。そのような効果が発揮されるため、例えば、イオン放射部１１０をネックレスヘッドのような比較的小型の部材に適用した場合においても、使用者に対するイオンの放射量を所定量以上に確保することが可能になる。したがって、イオン放射具１００をネックレス等の装身具１０の一部に使用した場合においても、使用者はイオンによる各種効果を享受することができる。
【００２２】
なお、イオン放射部１１０の具体的な形状は、螺旋形状のみに限定されることはない。例えば、イオン放射部１１０は、基準軸Ａに対してジクザグ状に延在した形状、波状に延在した形状、Ｕ字状に折り返された形状、立体的な幾何学形状等を有していてもよい。また、イオン放射部１１０を螺旋形状に形成する場合においても、螺旋のピッチ、螺旋の径、螺旋の個数などについて特に制限はない。ただし、イオン放射部１１０は、イオン放射部１１０の全長に亘って螺旋形状が付与されている場合、イオン放射部１１０の周囲へのイオンの放射量をより一層効率的に増加させることができる。
【００２３】
ハウジング１２０は、長手方向に縦長に延びた形状を有する。ハウジング１２０の空間部１２１は、ハウジング１２０の長手方向の略全長に沿って延びた孔で構成することができる。なお、空間部１２１の断面形状（縦断面の形状及び／又は横断面の形状）は、図示した形状に限定されることはない。
【００２４】
図２に示すように、ハウジング１２０は、長手方向の一端部に配置された開口部１２６と、長手方向の他端部に配置された底部１２７と、を有する。
【００２５】
イオン放射部１１０は、開口部１２６を介してハウジング１２０の空間部１２１内に挿入することができる。イオン放射部１１０は、例えば、接着材などを使用してハウジング１２０の内壁面（例えば、底部１２７等）に対して固定することができる。
【００２６】
ハウジング１２０の一端部には、所定の蓋部材１３０を取り付けることができる。蓋部材１３０をハウジング１２０に取り付けることにより、ハウジング１２０の開口部１２６を閉じることができる。蓋部材１３０には、図１に示す付属部材１４０の細長い部材１４１を挿通可能な接続孔１３１を設けることができる。
【００２７】
イオン放射部１１０は、ハウジング１２０の空間部１２１内に収容されるため、ハウジング１２０の外部からイオン放射部１１０に対して直接的に衝撃や振動が加わることを防止できる。それにより、イオン放射部１１０を所定の形状（例えば、螺旋形状）に形状付けした状態に維持することができる。したがって、イオン放射具１００は、装身具１０が使用者の身体に取り付けられた状態で、使用者が運動等をしている場合においても、その周囲へ向けてイオンを安定的に放射することができる。
【００２８】
付属部材１４０は、図１に示すように、チェーンや紐などで構成される細長い部材１４１と、細長い部材１４１の両端部同士を接続分離可能にする留め具１４３と、を有する。なお、付属部材１４０の具体的な形状、材質、長さ、構造について特に制限はない。
【００２９】
使用者は、図１に示すように、ハウジング１２０の長手方向を、身体の縦方向に一致させるように配置した状態で、細長い部材１４１を首に巻くことで装身具１０を身体に装着することができる。
【００３０】
以下、上述した実施形態の変形例を説明する。既に説明した部材や内容についての詳細な説明は適宜省略する。また、特に説明の無い内容については前述した実施形態と同様のものとすることができる。また、各変形例同士についても重複した説明は適宜省略する。
【００３１】
＜変形例１＞
図４、図５に示すように、変形例１に係るイオン放射具１００Ａは、ハウジング１２０Ａの内部に形成された空間部１２１の構造が前述した実施形態と相違する。
【００３２】
イオン放射具１００Ａの空間部１２１は、ハウジング１２０の長手方向に延びる孔部１２３で構成されている。孔部１２３は、ハウジング１２０の長手方向と交差する方向に隣接した第１孔部１２３ａ及び第２孔部１２３ｂを有する。
【００３３】
孔部１２３にはイオン放射部１１０が配置されている。具体的には、第１孔部１２３ａには第１イオン放射部１１０ａが配置されており、第２孔部１２３ｂには第２イオン放射部１１０ｂが配置されている。各イオン放射部１１０ａ、１１０ｂは、前述した実施形態と同様に、少なくとも一部が所定の基準軸Ａに対して交差する方向に延在している。
【００３４】
なお、各イオン放射部１１０ａ、１１０ｂは、その少なくとも一部が基準軸Ａに対して交差する方向に延在していればよい。ただし、イオン放射部１１０ａ、１１０ｂの各々が基準軸Ａに対して交差する方向に延在した形状（例えば、螺旋形状）を有する場合、イオン放射具１００Ａから放射されるイオンの放射量をより一層効率的に高めることができる。
【００３５】
本変形例に係るイオン放射具１００Ａは、ハウジング１２０Ａの空間部１２１が有する二つの孔部１２３ａ、１２３ｂの各々にイオン放射部１１０ａ、１１０ｂが配置されている。そのため、イオン放射具１００Ａからその周囲へ放出されるイオンをより一層効率的に増加させることができる。
【００３６】
なお、図４では、蓋部材１３０の図示を省略しているが、前述した実施形態と同様に、ハウジング１２０Ａには蓋部材１３０を適宜取り付けることができる。また、各孔部１２３ａ、１２３ｂの位置関係や断面形状（縦断面の形状及び／又は横断面の形状）は特に限定されない。例えば、各孔部１２３ａ、１２３ｂは、ハウジング１２０Ａの長手方向と交差する方向で互いに連通していなくてもよい。
【００３７】
＜変形例２＞
図６、図７に示すように、変形例３に係るイオン放射具１００Ｂは、ハウジング１２０Ｂの孔部１２３が第１孔部１２３ａ、第２孔部１２３ｂ、第３孔部１２３ｃの三つの孔部を有する。各孔部１２３ａ、１２３ｂ、１２３ｃの各々には、第１イオン放射部１１０ａ、第２イオン放射部１１０ｂ、第３イオン放射部１１０ｃが配置されている。
【００３８】
変形例２に係るイオン放射具１００Ｂによれば、変形例１で示したイオン放射具１００Ａと比較して、イオン放射具１００Ｂの周囲へのイオンの放射量をさらに効率的に増加させることができる。
【００３９】
＜変形例３＞
図８には、変形例４に係るハウジング１２０Ｃを示す。ハウジング１２０Ｃの孔部（空間部）１２３の周囲には、螺旋状に延びる溝部１２４が形成されている。そのため、孔部１２３内に配置されるイオン放射部１１０からハウジング１２０Ｃの周囲へ放射されるイオンの放射量を効率的に増加させることができる。
【００４０】
＜他の実施形態＞
図９には、他の実施形態に係る装身具１０Ｄ及びイオン放射具１００Ｄを示す。
【００４１】
イオン放射具１００Ｄを装身具１０Ｄに使用する場合、例えば、イオン放射具１００Ｄの長手方向を使用者の身体の左右方向（両腕方向）に一致させるように配置した状態で使用することも可能である。このようにイオン放射具１００Ｄを使用する場合、例えば、ハウジング１２０の両端部付近に、付属部材１４０の細長い部材１４１を挿通可能な孔部が形成された接続部１３３を有する蓋部材１３０を配置することができる。
【００４２】
以上、実施形態及び変形例を通じて本考案に係るイオン放射具及び装身具を説明したが、本考案は実施形態で説明した内容のみに限定されるものでなく、実用新案登録請求の範囲の記載に基づいて適宜変更することが可能である。
【００４３】
イオン放射具は、所定の基準軸に対して少なくとも一部が交差する方向に延在しており、イオンを放射可能なイオン放射部と、イオン放射部が収容された空間部を備えるハウジングと、を有する限りにおいて、各部の構造、材質、大きさ、形状等は任意に変更することが可能である。
【００４４】
例えば、空間部（孔部）の個数及び空間部に配置されるイオン放射部の個数は４つ以上であってもよい。
【符号の説明】
【００４５】
１０、１０Ｄ    装身具
１００、１００Ａ、１００Ｂ、１００Ｄ    イオン放射具
１１０    イオン放射部
１１０ａ    第１イオン放射部
１１０ｂ    第２イオン放射部
１１０ｃ    第３イオン放射部
１２０、１２０Ａ、１２０Ｂ、１２０Ｃ    ハウジング
１２１    空間部
１２３    孔部
１２３ａ    第１孔部
１２３ｂ    第２孔部
１２３ｃ    第３孔部
１２４    溝部
１３０    蓋部材
１４０    付属部材
Ａ    基準軸
【図１】
0003231524.tif 000003
【図２】
0003231524.tif 000004
【図３】
0003231524.tif 000005
【図４】
0003231524.tif 000006
【図５】
0003231524.tif 000007
【図６】
0003231524.tif 000008
【図７】
0003231524.tif 000009
【図８】
0003231524.tif 000010
【図９】
0003231524.tif 000011